(57)【特許請求の範囲】
【請求項１】
被取付部材に内蔵され、該被取付部材の検出面に対向するように広がる絶縁基板と、
前記絶縁基板の外周部に互いに分割されて配置され、前記検出面に当接又は近接する被検出体を個別に検出する複数の電極とを備えた静電センサであって、
前記複数の電極としての複数の外側電極と、
前記複数の外側電極の各々の内周側に配置され、当該外側電極との協働で前記被検出体を検出する内側電極とを備え、
前記複数の内側電極が前記被検出体の検出の作動状態にあるときに、前記複数の外側電極は非作動状態にあり、
前記複数の内側電極のいずれかの検知レベルが閾値レベルを超えたとき、当該内側電極の検知レベルと他の前記内側電極の検知レベルとの偏差が閾値偏差を超えるか否かを判断する判断部と、
前記判断部により前記偏差が前記閾値偏差を超えないと判断されることで、前記複数の外側電極を前記被検出体の検出の作動状態に切り替えるとともに、前記複数の内側電極を非作動状態に切り替える切替部とを備えた、静電センサ。
【請求項２】
請求項１に記載の静電センサにおいて、
前記複数の電極の各々は、前記絶縁基板の板厚面を含んで配置された、静電センサ。
【請求項３】
請求項１又は２に記載の静電センサにおいて、
電界を発生させる送信電極と、
前記送信電極の発生した電界を受信する前記複数の電極としての複数の受信電極とを備え、
前記送信電極及び前記複数の受信電極のいずれか一方及び他方は、前記絶縁基板の両主面にそれぞれ配置された、静電センサ。
【発明の詳細な説明】
【技術分野】
【０００１】
本発明は、被検出体を非接触の状態で個別に検出可能な複数の電極を有する静電センサに関するものである。
【背景技術】
【０００２】
従来、こうした静電センサとして種々のものが提案されている（例えば特許文献１など）。
【先行技術文献】
【特許文献】
【０００３】
【特許文献１】特開２０１４−１２６３６５号公報
【発明の概要】
【発明が解決しようとする課題】
【０００４】
このような静電センサでは、水又は水を含む異物のある環境下に複数の電極がそのまま晒されることがないように、それらを被取付部材に内蔵するかたちで配置することがある。この場合、被取付部材の背部に位置するこれら複数の電極は、全体として被取付部材の検出面に対向するように広げられている。
【０００５】
ところで、被取付部材の当該検出面が水又は水を含む異物の膜に覆われるとともに、例えば当該膜がＧＮＤ（グランド）と導通又は容量結合されると、この膜が金属と同様に電気力線を遮断して、各電極による被検出体の検出感度を著しく低下させてしまう。そして、その結果、複数の電極のうちのどの電極が被検出体を検出しているかを区別できなくなる可能性がある。
【０００６】
本発明の目的は、複数の電極のうちのどの電極が被検出体を検出しているかをより確実に区別することができる静電センサを提供することにある。
【課題を解決するための手段】
【０００７】
上記課題を解決する静電センサは、被取付部材に内蔵され、該被取付部材の検出面に対向するように広がる絶縁基板と、前記絶縁基板の外周部に互いに分割されて配置され、前記検出面に当接又は近接する被検出体を個別に検出する複数の電極とを備えた静電センサであって、前記複数の電極としての複数の外側電極と、前記複数の外側電極の各々の内周側に配置され、当該外側電極との協働で前記被検出体を検出する内側電極とを備え、前記複数の内側電極が前記被検出体の検出の作動状態にあるときに、前記複数の外側電極は非作動状態にあり、前記複数の内側電極のいずれかの検知レベルが閾値レベルを超えたとき、当該内側電極の検知レベルと他の前記内側電極の検知レベルとの偏差が閾値偏差を超えるか否かを判断する判断部と、前記判断部により前記偏差が前記閾値偏差を超えないと判断されることで、前記複数の外側電極を前記被検出体の検出の作動状態に切り替えるとともに、前記複数の内側電極を非作動状態に切り替える切替部とを備える。
【０００８】
この構成によれば、前記複数の電極は、前記絶縁基板の外周部に互いに分割されて配置されている。これにより、前記複数の電極の形成する検知領域は、前記絶縁基板の外周側に指向性があることで、該外周側に互いにより明確に区分けされた状態で広がる。従って、前記検出面が水又は水を含む異物の膜に覆われるとともに、例えば当該膜がＧＮＤと導通又は容量結合され、この膜が金属と同様に電気力線を遮断したとしても、前記複数の電極のうちのどの電極が前記被検出体を検出しているかをより確実に区別することができる。
【０００９】
また、上記の構成によれば、前記各外側電極及び前記各内側電極の協働で前記被検出体を検出することができる。
また、上記の構成によれば、例えば通常は占有面積（検知領域）を確保しやすい前記複数の内側電極を作動状態にすることで、前記被検出体の検出感度を好適に確保することができる。一方、前記判断部により前記偏差が前記閾値偏差を超えないと判断された場合、即ち前記検出面が水又は水を含む異物の膜に覆われる等で前記複数の内側電極の検出感度が低下して、いずれの電極が検出しているか区別できない状態となった場合には、前記切替部により前記複数の外側電極を作動状態に切り替えることができ、冗長性をより向上させることができる。
なお、「検出面」とは、被検出体の当接又は近接を予め想定した範囲で広がる面のことをいう。
上記静電センサについて、前記複数の電極の各々は、前記絶縁基板の板厚面を含んで配置されることが好ましい。
【００１０】
この構成によれば、前記複数の電極の各々が前記絶縁基板の前記板厚面を含んで配置されることで、それら複数の電極の形成する検知領域は、前記絶縁基板の外周側にある指向性がより高められることになり、それら検知領域を互いに区分けされた状態のまま前記絶縁基板の外周側にいっそう広げることができる。
【００１１】
なお、「板厚面」とは、絶縁基板のうち他の面よりもはるかに面積の大きい面、いわゆる主面（主要な表面又は裏面）と交差する側面のことをいう。
上記静電センサについて、電界を発生させる送信電極と、前記送信電極の発生した電界を受信する前記複数の電極としての複数の受信電極とを備え、前記送信電極及び前記複数の受信電極のいずれか一方及び他方は、前記絶縁基板の両主面にそれぞれ配置されることが好ましい。
【００１２】
この構成によれば、前記送信電極の発生する電界の電気力線は、前記絶縁基板の板厚面をその外周側から跨ぐように延びて前記複数の受信電極に繋がることで、それら複数の受信電極が前記送信電極との間に形成する検知領域を互いに区分けされた状態のまま前記絶縁基板の外周側に広げることができる。そして、前記複数の電極（受信電極）のうちのどの電極が前記被検出体を検出しているかをいっそう確実に区別することができる。
【発明の効果】
【００１６】
本発明は、複数の電極のうちのどの電極が被検出体を検出しているかをより確実に区別できる効果がある。
【図面の簡単な説明】
【００１７】
【図１】静電センサの第１の実施形態が適用される車両を示す斜視図。
【図２】（ａ）は同実施形態の静電センサについてそのセンサ体を示す正面図であり、（ｂ）は（ａ）の２Ｂ−２Ｂ線に沿った断面図。
【図３】同実施形態の静電センサについてその電気的構成を示すブロック図。
【図４】同実施形態の静電センサについてその検出態様等を示すフローチャート。
【図５】（ａ）、（ｂ）は、静電センサの第２の実施形態についてそのセンサ体を示す斜視図。
【図６】静電センサの変形形態についてそのセンサ体を示す斜視図。
【発明を実施するための形態】
【００１８】
（第１の実施形態）
以下、静電センサの第１の実施形態について説明する。
図１に示すように、自動車などの車両１のボデー２の後部には開口２ａが形成されている。また、ボデー２の後部には、開口２ａの上部に設けられたドアヒンジ（図示略）を介してバックドア３が開閉自在に取着されている。バックドア３は、ドアヒンジを中心に上方に押し上げられることで開放される。
【００１９】
ボデー２の後部には、ドア駆動ユニット４が設置されている。このドア駆動ユニット４は、例えば電動モータなどの電気的駆動源を主体に構成されており、適宜のドア駆動機構を介してバックドア３と機械的に連係されることで該バックドア３を開閉駆動する。また、バックドア３の車室内側の先端には、閉状態にあるバックドア３を施解錠するドアロック５が設置されるとともに、ドアロック駆動ユニット６が設置されている。このドアロック駆動ユニット６は、例えば電動モータなどの電気的駆動源を主体に構成されており、適宜のロック駆動機構を介してドアロック５と機械的に連係されることで該ドアロック５を施解錠駆動する。
【００２０】
ドア駆動ユニット４及びドアロック駆動ユニット６は共に、例えばＭＣＵ（マイコン）からなるドアＥＣＵ（Electronic Control Unit）７に電気的に接続されており、該ドアＥＣＵ７によって個別に駆動制御される。
【００２１】
バックドア３の外表面の中央部には、例えば会社名などの標章８が設置されるとともに、該標章８の背部には、略楕円板状のセンサ体１０が設置されている。このセンサ体１０は、例えば標章８に接触又は近接する被検出体としてのユーザの手指を検知するためのもので、例えばＭＣＵからなる判断部及び切替部としての制御部２０に電気的に接続されている。この制御部２０は、ドアＥＣＵ７にも電気的に接続されている。
【００２２】
図２（ａ）、（ｂ）に示すように、被取付部材としての標章８は、例えば樹脂材からなる略楕円板状の蓋壁８ａと、該蓋壁８ａに向かって開口する略箱形の収容壁８ｂとを有する。収容壁８ｂは、蓋壁８ａに嵌着されることで略閉塞された内部空間Ｓを形成する。なお、蓋壁８ａの車外側に露出する表面は検出面としての意匠面８ｃを形成する。
【００２３】
センサ体１０は、内部空間Ｓ内に収容された状態で収容壁８ｂに固定されている。このセンサ体１０は、例えばガラスエポキシ基板からなる略楕円板状の絶縁基板１５を備える。この絶縁基板１５は、車両の幅方向及び高さ方向に長径方向及び短径方向がそれぞれ延びる状態で意匠面８ｃに対向するように広がっている。つまり、絶縁基板１５の主面に直交する方向は、意匠面８ｃの全体的な法線方向に略一致している。
【００２４】
絶縁基板１５の蓋壁８ａから離間する側である裏面１５ａには、車両の高さ方向に二分された一対の略蒲鉾形の内側電極１１，１２が形成されるとともに、内側電極１１の上方及び内側電極１２の下方にそれぞれ一対の略弓形の電極としての外側電極１３，１４が形成されている。つまり、両外側電極１３，１４は、絶縁基板１５の外周部に互いに分割されて配置されている。そして、各外側電極１３，１４は、その周方向の範囲で絶縁基板１５の主面（裏面１５ａ）と交差する側面、即ち板厚面１５ｂを含むように断面略Ｌ字形状を呈する。すなわち、各外側電極１３，１４は、板厚面１５ｂを覆う弧状壁１３ａ，１４ａを有する。両内側電極１１，１２はそれぞれ１ｃｈ（チャンネル）及び２ｃｈを構成し、両外側電極１３，１４はそれぞれ３ｃｈ及び４ｃｈを構成する。各ｃｈの電極１１〜１４は、これに近接するユーザの手指Ｈとで構成される静電容量を変化させる。なお、図２（ｂ）では、便宜的に電極１１〜１４の板厚を拡大して描いている。
【００２５】
図３に示すように、電極１１〜１４は、制御部２０に接続されている。制御部２０は、例えば各電極１１〜１４に発振信号を出力することで、その静電容量に応じた電圧レベルの検知信号［Ｖ］を出力させる。制御部２０は、この検知信号を入力することで、各電極１１〜１４に近接するユーザの手指Ｈを検知する。
【００２６】
なお、制御部２０による発振信号の出力とそれに対応する検知信号の入力は、通常は両内側電極１１，１２に対して行われる。制御部２０による発振信号の出力等は、両内側電極１１，１２に対して同時に行うようにしてもよいし、短時間で切り替えて順番に行うようにしてもよい。このとき、両内側電極１１，１２の形成する検知領域は、蓋壁８ａの上部及び下部にそれぞれ形成される。
【００２７】
一方、図２（ｂ）に示すように、標章８（蓋壁８ａ）の意匠面８ｃがこれに付着する水又は水を含む異物（泥水等）の膜Ｗに覆われるとともに、例えば当該膜ＷがＧＮＤ（グランド）と導通又は容量結合されると、この膜Ｗが金属と同様に電気力線を遮断して、各内側電極１１，１２によるユーザの手指Ｈの検出感度が低下する。すると、内側電極１１，１２のいずれの電極が検出しているか区別できなくなる。この場合、制御部２０による発振信号の出力とそれに対応する検知信号の入力は、両内側電極１１，１２に代わって両外側電極１３，１４に対して行われる。制御部２０による発振信号の出力等は、両外側電極１３，１４に対して同時に行うようにしてもよいし、短時間で切り替えて順番に行うようにしてもよい。このとき、同図にパターンを付したように、両外側電極１３，１４の検知領域は、標章８の上方及び下方にそれぞれ形成される。つまり、両外側電極１３，１４の形成する検知領域は、絶縁基板１５の外周側（径方向外側）に指向性があることで、該外周側（上方及び下方）に互いにより明確に区分けされた状態で広がる。特に、両外側電極１３，１４の各々が絶縁基板１５の板厚面１５ｂを含んで配置されることで、それら両外側電極１３，１４の形成する検知領域は、絶縁基板１５の外周側にある指向性がより高められることになり、それら検知領域を互いに区分けされた状態のまま絶縁基板１５の外周側にいっそう広げることができる。
【００２８】
ここで、ユーザは、その手指Ｈを標章８（意匠面８ｃ）に接触又は近接させる操作を行うことで、その求める対象物に対する操作が得られるようになっている。すなわち、ユーザの手指Ｈが標章８に接触又は近接することで、両内側電極１１，１２の検知信号又は両外側電極１３，１４の検知信号が変化する。例えばユーザの手指Ｈが標章８の上部に接触又は近接する場合には、内側電極１１の検知信号のレベルが内側電極１２の検知信号のレベルよりも大きくなり、あるいは外側電極１３の検知信号のレベルが外側電極１４の検知信号のレベルよりも大きくなる。反対に、ユーザの手指Ｈが標章８の下部に接触又は近接する場合には、内側電極１２の検知信号のレベルが内側電極１１の検知信号のレベルよりも大きくなり、あるいは外側電極１４の検知信号のレベルが外側電極１３の検知信号のレベルよりも大きくなる。制御部２０は、このような検知信号のレベルの変化に基づいて、即ち標章８のどの位置にユーザの手指Ｈが接触又は近接しているかに基づいて、ユーザの求める対象物に対する操作を検出する。
【００２９】
次に、ユーザがその手指Ｈを標章８の上部及び下部に接触又は近接させる操作がそれぞれバックドア３を開作動及び閉作動させる操作に対応するものとして、制御部２０による操作検出態様等について説明する。この処理は、制御部２０により両内側電極１１，１２に対して発振信号の出力等がなされる状態（被検出体の検出の作動状態）にあり、且つ、両外側電極１３，１４に対して発振信号の出力等がなされない状態（非作動状態）にあるとき、両内側電極１１，１２いずれかの検知信号のレベルが所定の上限閾値レベルＬｓを超えることで起動する。
【００３０】
図４に示すように、処理がこのルーチンに移行すると、制御部２０は、ステップＳ１において、内側電極１１の検知信号のレベルＬ１と内側電極１２の検知信号のレベルＬ２との偏差の大きさＤＬｉ（＝｜Ｌ１−Ｌ２｜）が所定の閾値偏差ΔＬｉを超えるか否かを判断する（判断部）。そして、偏差の大きさＤＬｉが閾値偏差ΔＬｉを超えると判断されると、制御部２０は、標章８のどの位置にユーザの手指Ｈが接触又は近接しているかが区別可能であることで、ステップＳ２に移行して出力処理を行う。
【００３１】
具体的には、内側電極１１の検知信号のレベルＬ１が内側電極１２の検知信号のレベルＬ２よりも大きかった場合には、制御部２０は、ユーザの手指Ｈが標章８の上部に接触又は近接していると見なして、バックドア３を開作動させる旨を表す操作信号をドアＥＣＵ７に出力する。このとき、ドアＥＣＵ７がバックドア３を開作動すべくドア駆動ユニット４を駆動制御することはいうまでもない。反対に、内側電極１１の検知信号のレベルＬ１が内側電極１２の検知信号のレベルＬ２よりも小さかった場合には、制御部２０は、ユーザの手指Ｈが標章８の下部に接触又は近接していると見なして、バックドア３を閉作動させる旨を表す操作信号をドアＥＣＵ７に出力する。このとき、ドアＥＣＵ７がバックドア３を閉作動すべくドア駆動ユニット４を駆動制御することはいうまでもない。
【００３２】
一方、ステップＳ１において、偏差の大きさＤＬｉが所定の閾値偏差ΔＬｉ以下と判断されると、制御部２０は、標章８のどの位置にユーザの手指Ｈが接触又は近接しているかが区別不能であることで、ステップＳ３に移行して切替処理を行う。すなわち、制御部２０は、両外側電極１３，１４に対して発振信号の出力等をする状態（被検出体の検出の作動状態）に切り替え、且つ、両内側電極１１，１２に対して発振信号の出力等をしない状態（非作動状態）に切り替える（切替部）。
【００３３】
続いて、制御部２０は、ステップＳ４に移行して、外側電極１３の検知信号のレベルＬ３と外側電極１４の検知信号のレベルＬ４との偏差の大きさＤＬｏ（＝｜Ｌ３−Ｌ４｜）が所定の閾値偏差ΔＬｏを超えるか否かを判断する。そして、偏差の大きさＤＬｏが閾値偏差ΔＬｏを超えると判断されると、制御部２０は、標章８のどの位置にユーザの手指Ｈが接触又は近接しているかが区別可能であることで、前述のステップＳ２に移行して出力処理を行う。具体的には、外側電極１３の検知信号のレベルＬ３が外側電極１４の検知信号のレベルＬ４よりも大きかった場合には、制御部２０は、ユーザの手指Ｈが標章８の上部に接触又は近接していると見なして、バックドア３を開作動させる旨を表す操作信号をドアＥＣＵ７に出力する。反対に、外側電極１３の検知信号のレベルＬ３が外側電極１４の検知信号のレベルＬ４よりも小さかった場合には、制御部２０は、ユーザの手指Ｈが標章８の下部に接触又は近接していると見なして、バックドア３を閉作動させる旨を表す操作信号をドアＥＣＵ７に出力する。
【００３４】
一方、ステップＳ４において、偏差の大きさＤＬｏが所定の閾値偏差ΔＬｏ以下と判断されると、制御部２０は、依然として標章８のどの位置にユーザの手指Ｈが接触又は近接しているかが区別不能であることで、そのまま処理を終了する。
【００３５】
以上詳述したように、本実施形態によれば、以下の作用効果を奏することができる。
（１）本実施形態では、複数の外側電極１３，１４は、絶縁基板１５の外周部に互いに分割されて配置されている。これにより、複数の外側電極１３，１４の形成する検知領域は、絶縁基板１５の外周側に指向性があることで、該外周側に互いにより明確に区分けされた状態で広がる。従って、意匠面８ｃが水又は水を含む異物の膜Ｗに覆われるとともに、例えば当該膜ＷがＧＮＤと導通又は容量結合され、この膜Ｗが金属と同様に電気力線を遮断したとしても、複数の外側電極１３，１４のうちのどの外側電極１３，１４がユーザの手指Ｈを検出しているかをより確実に区別することができる。換言すれば、ユーザの手指Ｈが意匠面８ｃの上方又は下方（センサ体１０から外れた上方又は下方）でこれに近接又は接触すれば、その操作をより確実に区別することができる。
【００３６】
（２）本実施形態では、両外側電極１３，１４の各々が絶縁基板１５の板厚面１５ｂを含んで配置されることで、それら両外側電極１３，１４の形成する検知領域は、絶縁基板１５の外周側にある指向性がより高められることになり、それら検知領域を互いに区分けされた状態のまま絶縁基板１５の外周側にいっそう広げることができる。そして、複数の外側電極１３，１４のうちのどの外側電極１３，１４がユーザの手指Ｈを検出しているかをいっそう確実に区別することができる。換言すれば、ユーザの手指Ｈが意匠面８ｃの上方又は下方でこれに近接又は接触すれば、その操作をいっそう確実に区別することができる。
【００３７】
また、両外側電極１３，１４の各々は、絶縁基板１５の板厚面１５ｂを利用したことで、絶縁基板１５の面積を拡張することなく検知領域を広げることができる。
（３）本実施形態では、各外側電極１３，１４及び各内側電極１１，１２の協働でユーザの手指Ｈを検出することができる。
【００３８】
（４）本実施形態では、例えば通常は占有面積（検知領域）を確保しやすい複数の内側電極１１，１２を作動状態にすることで、ユーザの手指Ｈの検出感度を好適に確保することができる。一方、制御部２０により、偏差の大きさＤＬｉが所定の閾値偏差ΔＬｉ以下（超えない）と判断された場合、即ち意匠面８ｃが水又は水を含む異物の膜Ｗに覆われる等で複数の内側電極１１，１２の検出感度が低下して、いずれの電極が検出しているか区別できない状態となった場合には、制御部２０により複数の外側電極１３，１４を作動状態に切り替えることができ、冗長性をより向上させることができる。
【００３９】
（５）本実施形態では、複数の電極１１〜１４は、絶縁基板１５に配置・固定されていることで、例えばそれら電極１１〜１４の相対位置がばらつくことを抑制でき、ひいては電極１１〜１４の検出感度のばらつきを抑制できる。また、例えば同様に機能する短冊状の複数の電極をばらばらの状態で配置する場合に比べ、複数の電極１１〜１４を互いにより綿密な間隔で配置することができ、設置スペースを有効利用してそれら電極１１〜１４の検知領域を確保することができる。さらに、絶縁基板１５によって複数の電極１１〜１４を補強することができる。
【００４０】
（６）本実施形態では、標章８にセンサ体１０（複数の電極１１〜１４等）を取り付けて、ＧＮＤ又はＧＮＤ相当の物体（例えばバックドア３を構成する金属パネル等）から分離し一定以上の距離をおいたことで、例えば意匠面８ｃが膜Ｗに覆われる等の状態になっても、複数の電極１１〜１４の検出感度の低下を抑制できる。
【００４１】
（７）本実施形態では、センサ体１０（電極１１〜１４）とユーザの手指Ｈとで構成される静電容量の変化を利用することで、該手指Ｈを非接触の状態で検知可能である。
（第２の実施形態）
以下、静電センサの第２の実施形態について説明する。なお、第２の実施形態は、第１の実施形態のセンサ体を変更した構成であるため、同様の部分についてはその詳細な説明は省略する。
【００４２】
図５（ａ）、（ｂ）に示すように、本実施形態のセンサ体４０は、例えばガラスエポキシ基板からなる略円板状の絶縁基板４６と、該絶縁基板４６の片側の主面（例えば表面）４６ａの外周部に配置された複数（３つ）の略弓形の電極としての受信電極４１，４２，４３を有する。また、センサ体４０は、絶縁基板４６の逆側の主面（例えば裏面）４６ｂの中央部に配置された略円形の内側受信電極４４と、該内側受信電極４４を包囲するように主面４６ｂの外周部に配置された円環状の送信電極４５とを有する。複数の受信電極４１〜４３及び内側受信電極４４は、互いに異なるｃｈ（１ｃｈ〜４ｃｈ）を構成するもので、送信電極４５の発生した電界を受信する。つまり、このセンサ体４０（静電センサ）は、被検出体の検出に相互容量方式の原理を採用している。
【００４３】
この場合、センサ体４０は、絶縁基板４６が意匠面８ｃに対向するように広がる状態で内部空間Ｓ内に収容等される。このとき、受信電極４１等は、蓋壁８ａから離間する側に配置されてもよいし、対向する側に配置されてもよい。
【００４４】
以上詳述したように、本実施形態によれば、前記実施形態における（１）、（５）〜（７）の効果に加えて以下に示す効果が得られるようになる。
（１）本実施形態では、送信電極４５及び複数の受信電極４１〜４３のいずれか一方及び他方は、絶縁基板４６の主面４６ａ，４６ｂ（表面及び裏面）にそれぞれ配置される。従って、送信電極４５の発生する電界の電気力線は、絶縁基板４６の板厚面４６ｃをその外周側から跨ぐように延びて複数の受信電極４１〜４３に繋がる。これにより、それら複数の受信電極４１〜４３が送信電極４５との間に形成する検知領域は、絶縁基板４６の外周側にある指向性がより高められることになる。すなわち、それら複数の受信電極４１〜４３が送信電極４５との間に形成する検知領域を互いに区分けされた状態のまま絶縁基板４６の外周側に広げることができる。そして、複数の受信電極４１〜４３のうちのどれがユーザの手指Ｈを検出しているかをいっそう確実に区別することができる。換言すれば、ユーザの手指Ｈが意匠面８ｃの外周側でこれに近接又は接触すれば、その操作をいっそう確実に区別することができる。
【００４５】
（２）本実施形態では、送信電極４５は、絶縁基板４６の外周部に配置されている。これにより、同じく絶縁基板４６の外周部に配置されている複数の受信電極４１〜４３が送信電極４５との間に形成する検知領域は、絶縁基板４６の外周側にある指向性がいっそう高められることになり、それら検知領域を互いに区分けされた状態のまま絶縁基板４６の外周側にいっそう広げることができる。
【００４６】
（３）本実施形態では、複数の受信電極４１〜４３に対して一つの送信電極４５を共用としたことで、センサ体４０の構造をより簡素化することができる。特に、検出感度は、送信電極４５の面積に比例して向上するため、送信電極４５を絶縁基板４６の外周部の全周に延びる略円環状としたことで、例えば当該外周部に複数分割される場合に比べて検出感度をより向上させることができる。
【００４７】
なお、上記実施形態は以下のように変更してもよい。
・図６に示すように、例えばガラスエポキシ基板からなる略円板状の絶縁基板３５と、該絶縁基板３５の主面（表面又は裏面）の中央部に配置された略円形の内側電極３１と、該内側電極３１を包囲するように絶縁基板３５の外周部に配置された複数（３つ）の略弓形の外側電極３２，３３，３４とを有するセンサ体３０であってもよい。複数の外側電極３２〜３４は、絶縁基板３５の外周部に互いに分割されて配置されて、互いに異なるｃｈ（２ｃｈ〜４ｃｈ）を構成する。また、各外側電極３２〜３４は、その周方向の範囲で絶縁基板３５の主面と交差する側面、即ち板厚面３５ａを含むように断面略Ｌ字形状を呈する。
【００４８】
この場合、センサ体３０は、絶縁基板３５が意匠面８ｃに対向するように広がる状態で内部空間Ｓ内に収容等される。このとき、内側電極３１等は、蓋壁８ａから離間する側に配置されてもよいし、対向する側に配置されてもよい。このように変更をしても、前記実施形態の（１）、（２）、（５）〜（７）と同様の効果が得られるようになる。
【００４９】
なお、複数の外側電極３２〜３４の各々は、絶縁基板３５の板厚面３５ａを含んで配置されなくてもよい。
・前記第１の実施形態において、両外側電極１３，１４及び両内側電極１１，１２の全てが常に検出の作動状態にあってもよい。
【００５０】
・前記第１の実施形態において、両内側電極１１，１２を省略して、両外側電極１３，１４のみでユーザの手指Ｈを検出してもよい。
・前記第１の実施形態において、両外側電極１３，１４の各々は、絶縁基板１５の板厚面１５ｂを含んで配置されなくてもよい。つまり、各外側電極１３，１４の弧状壁１３ａ，１４ａを省略してもよい。
【００５１】
・前記第１の実施形態において、外側電極１３，１４等は、絶縁基板１５の蓋壁８ａに対向する側である表面１５ｃ（図２（ｂ）参照）に配置してもよい。
・前記第１の実施形態において、絶縁基板１５の表面１５ｃの外周部に互いに分割された一対の電極を配置してもよい。この場合、両電極の各々は、外側電極１３，１４とは独立のｃｈを構成してもよい。あるいは、両電極の各々は、弧状壁１３ａ，１４ａに接続されていてもよい。この場合、両電極の各々は、外側電極１３，１４との協働で絶縁基板１５の外周側（上方及び下方）に検知領域を互いに区分けされた状態のままいっそう広げることができる。
【００５２】
・前記第２の実施形態において、内側受信電極４４を省略してもよい。
・前記第２の実施形態において、複数の送信電極を有するセンサ体（４０）であってもよい。この場合、それら複数の送信電極は、複数の受信電極４１〜４３に対して個別に設けられていてもよい。例えば複数の送信電極は、絶縁基板４６の主面４６ｂの外周部に互いに分割されて配置されてもよい。
【００５３】
・前記第２の実施形態において、送信電極４５を省略してもよい。つまり、被検出体の検出に自己容量方式の原理を採用するセンサ体（静電センサ）であってもよい。
・前記各実施形態において、各種電極（内側電極、外側電極、受信電極、内側受信電極、送信電極）は、絶縁基板の主面（表面又は裏面）全体に銅箔等の導電体製の箔を貼り付けるとともに、当該箔の不要な部分を機械的・化学的に除去することで形成してもよい。あるいは、各種電極は、絶縁基板の主面に銅等の導電体製のパターンをめっきによって析出させたり、蒸着によって付着させたりすることで形成してもよい。
【００５４】
あるいは、各種電極は、絶縁基板の主面に銅等の金属板を貼り付けることで形成してもよい。特に、絶縁基板の板厚面を含む電極の場合には、例えば絶縁基板の外周に切り欠きを形成するとともに、当該切り欠きに嵌着可能な屈曲部を電極に形成してもよい。この場合、絶縁基板の逆側の主面に到達した屈曲部の先端を当該主面に沿うように折り返してもよい。つまり、屈曲部との協働で切り欠きの周縁を挟み込むようにして電極を位置決め・固定してもよい。
【００５５】
・前記各実施形態において、絶縁基板の外周部に設けられる電極（外側電極、受信電極）の個数は複数であれば任意である。ただし、それら複数の電極間で検出感度を略均一化したいのであれば、それら複数の電極の形状及び配置が回転対称性を有することが好ましい。
【００５６】
・前記各実施形態において、絶縁基板の形状は任意であり、例えば略円形や略長円形、略多角形の板状であってもよい。ただし、絶縁基板の外周部に設けられる複数の電極（外側電極、受信電極）間で検出感度を略均一化したいのであれば、絶縁基板の形状が複数の電極の形状及び配置と共に回転対称性を有することが好ましい。
【００５７】
・前記各実施形態において、紙エポキシ基板やテフロン（登録商標）基板などからなる絶縁基板であってもよい。
・前記各実施形態において、ユーザがその手指Ｈを標章８の上部及び下部に接触又は近接させる操作がそれぞれバックドア３を閉作動及び開作動させる操作に対応するものであってもよい。
【００５８】
・前記各実施形態において、ユーザがその手指Ｈを標章８の上部及び下部に接触又は近接させる操作がそれぞれドアロック５を施錠作動及び解錠作動させる操作に対応するものであってもよいし、ドアロック５を解錠作動及び施錠作動させる操作に対応するものであってもよい。
【００５９】
・前記各実施形態において、ユーザがその手指Ｈを標章８の上部及び下部の一方に接触又は近接させる操作がバックドア３に設置されてボデー２側のストライカとの係脱作動が電動で可能なラッチ機構を解除作動させる操作に対応するものであってもよい。
【００６０】
・前記各実施形態において、制御部２０は、ドアＥＣＵ７を介することなくドア駆動ユニット４又はドアロック駆動ユニット６を直に駆動制御してもよい。
・前記各実施形態において、制御部２０による検知信号の監視は、アナログ処理で行ってもよいし、デジタル処理で行ってもよい。
【００６１】
・前記各実施形態において、制御部２０の機能は、例えば論理回路を組み合わせたハードウェア構成で実現してもよい。
・前記各実施形態においては、絶縁基板（センサ体）を標章８の意匠面８ｃに対向するように広げたが、被検出体（ユーザの手指Ｈ）の当接又は近接を予め想定した範囲で広がる面（検出面）であればよい。例えば、被取付部材（車両１）の外形をなす表面（外形に略直交する方向に向く面）などユーザが直視したりそのまま身体を接触させたりできる面であればよい。
【００６２】
・前記実施形態において、被取付部材は、バックドア３の標章８以外の適宜箇所や電動で開閉作動可能なスイング式又はスライド式のサイドドア（フロントドア、リヤドア等）、トランクリッド、それらに設置されるドアロックなどであってもよい。あるいは、被取付部材は、電動で開閉作動可能なドアミラーやボンネット、サンルーフ、給油口扉などであってもよい。あるいは、被取付部材は、車両１のボデー２自体（例えばセンターピラーやバックドア３に隣接するリヤピラーなど）やステアリング、インストルメントパネルなどであってもよい。あるいは、被取付部材は、建物等に設置される自動ドアや便座装置、給湯装置、発電装置などの設備であってもよい。
【００６３】
・前記実施形態において、被検出体は、ユーザの手指Ｈ以外の身体（例えば足等）であってもよい。あるいは、被検出体は、導電糸の編み込まれた手袋や、いわゆるタッチペンなどであってもよい。
【００６４】
・前記実施形態において、標章８は、車両１のブランドや車種、グレードなどを示すエンブレムなどでもよい。この標章８は、文字、図形、記号若しくは立体的形状若しくはこれらの結合であれば任意である。
【符号の説明】
【００６５】
Ｈ…手指（被検出体）、８…標章（被取付部材）、８ｃ…意匠面（検出面）、１１，１２…内側電極、１３，１４，３２〜３４…外側電極（電極）、１５，３５，４６…絶縁基板、１５ａ…裏面、１５ｂ，３５ａ…板厚面、１５ｃ…表面、２０…制御部（判断部、切替部）、４１〜４３…受信電極（電極）、４５…送信電極、４６ａ，４６ｂ…主面。
【図１】
0006511963.tif 000002
【図２】
0006511963.tif 000003
【図３】
0006511963.tif 000004
【図４】
0006511963.tif 000005
【図５】
0006511963.tif 000006
【図６】
0006511963.tif 000007